(57)【要約】【課題】  本発明は、ユーザの都合に合った番組だけを確実に視聴させ又は録画するようにする。【解決手段】  本発明は、録画済番組の再生映像の表示が停止されたことを検出した時点で、当該録画済番組の番組情報ＩＰに含まれるシリーズ情報ＩＳに基づき予約設定確認画面２０を画面表示させて当該録画済番組のシリーズ番組の録画予約を行うか否かをユーザに確認させ、まだシリーズ予約されていない録画済番組のシリーズ番組について録画予約を行う指示を受け付けた場合には当該録画予約を行い、既にシリーズ予約された録画済番組のシリーズ番組について録画予約を行わない指示を受け付けた場合には当該録画予約を取り消すことにより、当該ユーザに改めて当該録画済番組のシリーズ番組の録画予約操作を行わせることなく、当該録画予約を行い又は当該録画予約を取り消すことができる。【選択図】        図２
2005328485.tif 000002
【特許請求の範囲】
【請求項１】
番組の表示が停止されたことを検出する表示停止検出手段と、
上記番組と関連付けられたシリーズ番組に関連したシリーズ情報を取得するシリーズ情報取得手段と、
上記番組の表示が停止されたことを検出した時点で、上記シリーズ情報に基づいて上記シリーズ番組の視聴予約又は録画予約をユーザに確認させる確認手段と
を具えることを特徴とする番組表示装置。
【請求項２】
上記シリーズ番組の視聴予約又は録画予約がまだ行われていなかった場合、上記ユーザから上記シリーズ番組の視聴予約又は録画予約を行う旨を受け付けたとき、当該視聴予約又は録画予約を行う予約制御手段
を具えることを特徴とする請求項１に記載の番組表示装置。
【請求項３】
上記シリーズ番組の視聴予約又は録画予約が既に行われていた場合、上記ユーザから上記シリーズ番組の視聴予約又は録画予約を行う旨を受け付けたとき、当該視聴予約又は録画予約を継続し、当該ユーザから当該シリーズ番組の視聴予約又は録画予約を行わない旨を受け付けたとき、当該視聴予約又は録画予約を取り消す取消制御手段
を具えることを特徴とする請求項１に記載の番組表示装置。
【請求項４】
上記予約制御手段は、
所定の待機時間内に上記ユーザから応答を受け付けなかった場合、上記シリーズ番組の視聴予約又は録画予約を行う
ことを特徴とする請求項２に記載の番組表示装置。
【請求項５】
上記取消制御手段は、
所定の待機時間内に上記ユーザから応答を受け付けなかった場合、上記シリーズ番組の視聴予約又は録画予約を継続する
ことを特徴とする請求項３に記載の番組表示装置。
【請求項６】
上記表示停止検出手段は、
所定の番組記憶手段により予め記憶されてから再生した番組を最後まで再生し映像の表示が自動的に停止されたこと又は当該番組の再生映像の表示中に上記ユーザの停止操作に基づき停止されたことを検出する
ことを特徴とする請求項１に記載の番組表示装置。
【請求項７】
上記表示停止検出手段は、
放送局から放送された受信中の番組が終了した際に上記放送局から放送される番組終了を表す番組終了情報を受信することにより、当該番組の表示が停止されたことを検出する
ことを特徴とする請求項１に記載の番組表示装置。
【請求項８】
番組の表示が停止されたことを検出する表示停止検出ステップと、
上記番組と関連付けられたシリーズ番組に関連したシリーズ情報を取得するシリーズ情報取得ステップと、
上記番組の表示が停止されたことを検出した時点で、上記シリーズ情報に基づいて上記シリーズ番組の視聴予約又は録画予約をユーザに確認させる確認ステップと
を具えることを特徴とする番組表示方法。
【請求項９】
情報処理装置に対して、
番組の表示が停止されたことを検出する表示停止検出ステップと、
上記番組と関連付けられたシリーズ番組に関連したシリーズ情報を取得するシリーズ情報取得ステップと、
上記番組の表示が停止されたことを検出した時点で、上記シリーズ情報に基づいて上記シリーズ番組の視聴予約又は録画予約をユーザに確認させる確認ステップと
を具えることを特徴とする番組表示プログラム。
【発明の詳細な説明】
【技術分野】
【０００１】
本発明は番組表示装置に関し、例えば地上ディジタルテレビジョン放送を受信し得るテレビジョン番組録画再生装置に適用して好適なものである。
【背景技術】
【０００２】
従来、テレビジョン番組録画再生装置（例えばハードディスクレコーダ等）においては、放送されたテレビジョン番組を受信してハードディスクドライブ等の記憶媒体に録画し、またユーザの操作等に応じて当該テレビジョン番組を再生するようになされている。
【０００３】
ところでテレビジョン番組の中には、例えば毎週放送される連続ドラマのように、ある番組と関連性の高い他の番組（以下、これをシリーズ番組と呼ぶ）が後から放送されるものがある。
【０００４】
特に、近年放送が開始された地上ディジタルテレビジョン放送では、番組そのものが符号化された番組データの他に、番組タイトル等の番組情報（すなわちＥＰＧ情報）も送出されており、この番組情報には、当該番組のシリーズ番組に関するシリーズ情報も含まれている。
【０００５】
そこで、テレビジョン番組録画再生装置（ディジタル放送受信装置）のなかには、このシリーズ情報（シリーズ記述子）を用いてシリーズ番組の録画予約を容易に行い得るようになされたものがある（例えば、特許文献１参照）。
【特許文献１】特開２００３−８７６７５公報（第４頁、第３図）
【発明の開示】
【発明が解決しようとする課題】
【０００６】
しかし、かかる構成のテレビジョン番組録画再生装置では、事前にあるシリーズ番組の録画予約を行った後、第１回目の番組をユーザが実際に視聴し、つまらなかった等の理由で次回以降の番組を録画したくない場合、当該シリーズ番組の録画予約を取り消すための煩雑な操作を必要としていた。
【０００７】
このとき、ユーザが当該シリーズ番組の録画予約の取り消しを怠ると、次回以降も不要な番組が自動的に録画されてしまうという問題があった。
【０００８】
本発明は以上の点を考慮してなされたもので、ユーザの都合に合った番組だけを確実に視聴させ又は録画する番組表示装置を提案しようとするものである。
【課題を解決するための手段】
【０００９】
かかる課題を解決するため本発明の番組表示装置においては、番組の表示が停止されたことを検出する表示停止検出手段と、番組と関連付けられたシリーズ番組に関連したシリーズ情報を取得するシリーズ情報取得手段と、番組の表示が停止されたことを検出した時点で、シリーズ情報に基づいてシリーズ番組の視聴予約又は録画予約をユーザに確認させる確認手段とを設けるようにした。
【００１０】
これにより、番組の表示が停止されたことを検出した時点で、ユーザに特別な操作をさせることなくシリーズ番組における視聴予約又は録画予約を当該ユーザに確認させることができる。
【００１１】
また本発明の番組表示方法においては、番組の表示が停止されたことを検出する表示停止検出ステップと、番組と関連付けられたシリーズ番組に関連したシリーズ情報を取得するシリーズ情報取得ステップと、番組の表示が停止されたことを検出した時点で、シリーズ情報に基づいてシリーズ番組の視聴予約又は録画予約をユーザに確認させる確認ステップとを設けるようにした。
【００１２】
これにより、番組の表示が停止されたことを検出した時点で、ユーザに特別な操作をさせることなくシリーズ番組における視聴予約又は録画予約を当該ユーザに確認させることができる。
【００１３】
また本発明の番組表示プログラムにおいては、情報処理装置に対して、番組の表示が停止されたことを検出する表示停止検出ステップと、番組と関連付けられたシリーズ番組に関連したシリーズ情報を取得するシリーズ情報取得ステップと、番組の表示が停止されたことを検出した時点で、シリーズ情報に基づいてシリーズ番組の視聴予約又は録画予約をユーザに確認させる確認ステップとを設けるようにした。
【００１４】
これにより、番組の表示が停止されたことを検出した時点で、ユーザに特別な操作をさせることなくシリーズ番組における視聴予約又は録画予約を当該ユーザに確認させることができる。
【発明の効果】
【００１５】
本発明によれば、番組の表示が停止されたことを検出した時点で、ユーザに特別な操作をさせることなくシリーズ番組における視聴予約又は録画予約を当該ユーザに確認させることができ、かくしてユーザの都合に合った番組だけを確実に視聴させ又は録画する番組表示装置を実現できる。
【発明を実施するための最良の形態】
【００１６】
以下、図面について、本発明の一実施の形態を詳述する。
【００１７】
（１）テレビジョン番組録画再生装置の構成
図１において、１は全体として本発明によるテレビジョン番組録画再生装置を表し、ＣＰＵ（Central Processing Unit）構成でなる制御部１０によって全体を統括制御し、図示しないＲＯＭ（Read Only Memory）から読み出したＯＳ（Operational System）等の基本プログラムやシリーズ番組予約プログラム等の各種アプリケーションプログラムに従って各種処理を実行するようになされている。
【００１８】
テレビジョン番組録画再生装置１は、リモートコントローラでなる操作部１２を介したユーザの操作指示を入力インタフェース部１３によって受け付け、その指示内容を制御部１０へ送出するようになされている。
【００１９】
テレビジョン番組録画再生装置１は、アンテナ１４を介して地上ディジタルテレビジョン放送局（図示せず）から放送されるテレビジョン番組を受信し、これを受信信号Ｓ１として受信部１５へ送出する。
【００２０】
受信部１５は、ユーザによるチャンネルの切換操作等に応じて選局部１６によって受信チャンネルを切り換え、当該受信チャンネルの番組データＤＰ及び番組情報ＩＰを抽出し、制御部１０へ送出する。
【００２１】
この番組データＤＰは、テレビジョン番組の映像及び音声を符号化したデータでなり、また番組情報ＩＰは、テレビジョン番組の放送チャンネル、番組タイトル、及び放送日時等の当該テレビジョン番組に関する種々の情報を含んでいる。
【００２２】
制御部１０は、ユーザの操作等に基づき、テレビジョン番組の番組データＤＰをハードディスクドライブでなる番組記憶部１８に記憶させることにより、当該テレビジョン番組を録画するようになされている。このとき制御部１０は、番組データＤＰと共に当該テレビジョン番組の番組情報ＩＰも記録するようになされている。
【００２３】
また制御部１０は、ユーザの操作等に基づき、番組記憶部１８に録画したテレビジョン番組（以下、これを録画済番組と呼ぶ）の番組データＤＰを番組記憶部１８から順次読み出し、所定の復号化処理等を行う表示処理部１７を介してモニタ１００へ出力し、当該録画済番組を再生して映像を表示させるようになされている。
【００２４】
ここで制御部１０は、これから再生する録画済番組をユーザに選択させる際に、各録画済番組の番組情報ＩＰを読み出し、当該番組情報ＩＰから番組タイトルや録画日時等を抽出して作成した一覧表示画面（図示せず）をモニタ１００に表示させることによって、ユーザが所望する録画済番組を当該一覧表示画面上で容易に選択させるようになされている。
【００２５】
ところで地上ディジタルテレビジョン放送局は、現在放送中のテレビジョン番組の番組データＤＰ及び番組情報ＩＰの他に、今後放送予定のテレビジョン番組の番組情報ＩＰも放送している。そこで制御部１０は、放送波に含まれている今後放送予定のテレビジョン番組の番組情報ＩＰを随時取得して不揮発性メモリでなる情報記憶部１１に記憶させ、例えば今後２週間分の全てのテレビジョン番組の番組情報ＩＰを格納するようになされている。
【００２６】
制御部１０は、この番組情報ＩＰに基づいて所定のＥＰＧ（Electronic Program Guide：電子番組ガイド）画面を生成して表示し得るようになされており、例えばテレビジョン番組の録画予約を行う際に、ユーザに当該ＥＰＧ画面上でテレビジョン番組を選択させるだけで容易に録画予約操作を完了させることができる。このとき制御部１０は、選択されたテレビジョン番組の番組情報ＩＰに基づいた録画予約情報を情報記憶部１１に記憶するようになされている。
【００２７】
（２）シリーズ番組の予約
ところでテレビジョン番組のなかには、例えば毎週放送される連続ドラマのように、あるテレビジョン番組に関連付けられたテレビジョン番組（以下、これをシリーズ番組と呼ぶ）が後から放送されるものがあり、このようなテレビジョン番組の番組情報ＩＰには、当該テレビジョン番組のシリーズ番組に関するシリーズ情報ＩＳが含まれている。
【００２８】
このシリーズ情報ＩＳには、一連のシリーズ番組に同一のＩＤ（Identifier）が設定される「シリーズＩＤ」や、「毎日」及び「毎週」といった繰り返しの種類を表す「プログラムパターン」等の情報が含まれている。
【００２９】
制御部１０は、テレビジョン番組の録画予約を行う際に、あるテレビジョン番組の番組情報ＩＰにシリーズ情報ＩＳが含まれていた場合、当該テレビジョン番組と共に、そのシリーズ番組の録画予約（以下、これをシリーズ予約と呼ぶ）を行い得るようになされている。
【００３０】
以下、既に録画した録画済番組がシリーズ予約されているか否かに応じて、シリーズ番組予約処理手順及びシリーズ番組取消処理手順に分けて説明する。
【００３１】
（２−１）シリーズ番組予約処理手順
制御部１０は、ユーザの操作によって、まだシリーズ予約されていない録画済番組の再生指示を受け付けると、シリーズ番組予約処理手順ＲＴ１（図２）の開始ステップから入ってステップＳＰ１へ移る。
【００３２】
ステップＳＰ１において制御部１０は、ユーザに選択された録画済番組の再生映像の表示を開始し、次のステップＳＰ２へ移る。
【００３３】
ステップＳＰ２において制御部１０は、録画済番組の再生映像を表示中にユーザによる停止操作を受け付けた、或いは当該録画済番組の最後まで再生し終えたことによって、当該録画済番組の再生映像の表示を停止したか否かを判定する。ここで否定結果が得られると、当該再生映像の表示を継続してこのステップＳＰ２を繰り返し、一方ここで肯定結果が得られると、次のステップＳＰ３へ移る。
【００３４】
ステップＳＰ３において制御部１０は、まず再生映像の表示を停止した録画済番組（以下、これを再生済番組と呼ぶ）の番組情報ＩＰを参照し、当該番組情報ＩＰのシリーズ情報ＩＳに含まれるシリーズＩＤやプログラムパターン等を抽出する。
【００３５】
次に制御部１０は、情報記憶部１１に格納した今後放送予定のテレビジョン番組における番組情報ＩＰのシリーズ情報ＩＳのなかから、再生済番組と同じシリーズＩＤを有し当該再生済番組のプログラムパターンに合致するテレビジョン番組（すなわちシリーズ番組）を検索し、その番組情報ＩＰに基づき当該シリーズ番組の番組タイトルや放送日時等を抽出する。
【００３６】
そして制御部１０は、図３に示すように、シリーズ番組を「次回関連番組」としてその「放送日時」や「番組タイトル」といった内容を表す次回関連番組表示エリア２１を画面上部に配置し、この次回関連番組表示エリア２１の内容で予約するか否かをユーザに指示させるためのＧＵＩ表示エリア２２を画面下部に配置した予約設定確認画面２０を生成して、これをモニタ１００へ送出し画面表示させて次のステップＳＰ４へ移る。
【００３７】
ステップＳＰ４において制御部１０は、操作部１２を介して、ＧＵＩ表示エリア２２の「予約する」ボタン２２Ａ又は「予約キャンセル」ボタン２２Ｂのいずれかをユーザに押下操作させ、次のステップＳＰ５へ移る。
【００３８】
ステップＳＰ５において制御部１０は、ＧＵＩ表示エリア２２の「予約する」ボタン２２Ａがユーザによって押下操作されたか否かを判定する。ここで肯定結果が得られると、このことはユーザが再生済番組に興味を持ち、次回関連番組表示エリア２１に表示しているシリーズ番組も録画して視聴したいと考えていることを表しており、このとき制御部１０は、新たに当該シリーズ番組の録画予約（すなわちシリーズ予約）を行うべく、次のステップＳＰ６へ移る。
【００３９】
ステップＳＰ６において制御部１０は、次回関連番組表示エリア２１に表示している内容でシリーズ番組の録画予約を行い、その後ステップＳＰ８へ移ってこのルーチンＲＴ１を終了する。
【００４０】
これにより制御部１０は、ユーザが録画済番組（再生済番組）を見終わり印象を鮮明に覚えているタイミングで、当該ユーザに容易なＧＵＩ操作を行わせるだけで、当該再生済番組に関連付けられたシリーズ番組の録画予約を行うことができる。
【００４１】
これに対してステップＳＰ５において否定結果が得られると、このことはユーザが再生済番組に興味を持っておらず、次回関連番組表示エリア２１に内容を表示しているシリーズ番組を録画する意思を持たないことを表しており、このとき制御部１０は次のステップＳＰ７へ移る。
【００４２】
ステップＳＰ７において制御部１０は、シリーズ番組の録画予約を行うこと無く、次のステップＳＰ８へ移ってこのルーチンＲＴ１を終了する。
【００４３】
ちなみに制御部１０は、ステップＳＰ３において、まだ来週分の番組情報ＩＰを受信しておらず情報記憶部１１に番組情報ＩＰが格納されていなかった等の理由で、再生済番組と同じシリーズＩＤを有するテレビジョン番組を検出できなかった場合、当該再生済番組の録画日時とシリーズ情報ＩＳに含まれるプログラムパターンとから、当該再生済番組のシリーズ番組が放送される可能性の高い日時を「放送日時」として推測するようになされている。
【００４４】
そして制御部１０は、再生済番組のシリーズ番組が放送される可能性の高い「放送日時」を表す繰り返し予約時間表示エリア３１を画面上部に配置し、この繰り返し予約時間表示エリア３１の内容で予約するか否かをユーザに指示させるためのＧＵＩ表示エリア３２を画面下部に配置した予約設定確認画面３０（図４）を生成し、予約設定確認画面２０（図３）の代わりに当該予約設定確認画面３０をモニタ１００へ送出して画面表示させ、以降のステップＳＰ４〜ＳＰ８の処理を行う。
【００４５】
また制御部１０は、ステップＳＰ４において、所定の待機時間（例えば５分間）の経過時点でユーザから何も指示を受け付けなかった場合、自動的にステップＳＰ５−ＳＰ６−ＳＰ８の処理を行ってシリーズ番組の録画予約を行い、特にユーザから当該シリーズ番組の録画予約を行うよう指示が無かった場合でも、録画し損なうことが無いようになされている。
【００４６】
このように制御部１０は、録画済番組の再生映像の表示が停止されたことを検出した時点で、当該録画済番組（すなわち再生済番組）のシリーズ番組の録画予約を行うか否かをユーザに確認し得、その後当該ユーザの指示に基づいて当該シリーズ番組の録画予約を行うことができる。
【００４７】
（２−２）シリーズ番組取消処理手順
一方制御部１０は、ユーザの操作によって、既にシリーズ予約された録画済番組の再生指示を受け付けると、上述したシリーズ番組予約処理手順ＲＴ１（図２）に対応したシリーズ番組取消処理手順ＲＴ２（図５）に従い、開始ステップから入ってステップＳＰ１１へ移る。
【００４８】
制御部１０は、ステップＳＰ１１〜ＳＰ１２において、ステップＳＰ１〜ＳＰ２と同様に録画済番組の再生映像の表示を停止し、次のステップＳＰ１３へ移る。
【００４９】
ステップＳＰ１３において制御部１０は、まずステップＳＰ３と同様に、再生映像の表示を停止した録画済番組（再生済番組）の番組情報ＩＰを参照し、シリーズ情報ＩＳに含まれるシリーズＩＤやプログラムパターン等を抽出する。
【００５０】
次に制御部１０は、情報記憶部１１に記憶した録画予約情報のなかから、再生済番組と同じシリーズＩＤを有するテレビジョン番組（すなわちシリーズ番組）の録画予約情報を検索し、その番組情報ＩＰに基づき当該シリーズ番組の番組タイトルや放送日時等を抽出する。
【００５１】
そして制御部１０は、図６に示すように、シリーズ番組の「放送日時」や「番組タイトル」といった内容を表す次回関連番組表示エリア４１を画面上部に配置し、この次回関連番組表示エリア４１の内容で継続して予約するか否かをユーザに指示させるためのＧＵＩ表示エリア４２を画面下部に配置した予約設定確認画面４０を生成し、予約設定確認画面２０（図３）の代わりに当該予約設定確認画面４０をモニタ１００へ送出し画面表示させて次のステップＳＰ１４へ移る。
【００５２】
ステップＳＰ１４において制御部１０は、ステップＳＰ４と同様に、ＧＵＩ表示エリア４２の「予約する」ボタン４２Ａ又は「予約キャンセル」ボタン４２Ｂのいずれかをユーザに押下操作させ、次のステップＳＰ１５へ移る。
【００５３】
ステップＳＰ１５において制御部１０は、ＧＵＩ表示エリア４２の「予約する」ボタン４２Ａがユーザによって押下操作されたか否かを判定する。ここで肯定結果が得られると、このことはユーザが再生済番組に興味を持ち、次回関連番組表示エリア４１に内容を表示しているシリーズ番組を録画して視聴したいと考えていることを表しており、このとき制御部１０は、既にシリーズ予約されている当該シリーズ番組の録画予約をそのまま継続するべく、次のステップＳＰ１６へ移る。
【００５４】
ステップＳＰ１６において制御部１０は、既存のシリーズ番組の録画予約をそのまま残して継続し、次のステップＳＰ１８へ移ってこのルーチンＲＴ２を終了する。
【００５５】
これに対してステップＳＰ１５において否定結果が得られると、このことはユーザが再生済番組に興味を持っておらず、次回関連番組表示エリア４１に内容を表示しているシリーズ番組を録画する意思を持たないことをことを表しており、このとき制御部１０は、既存の当該シリーズ番組の録画予約（すなわちシリーズ予約）を取り消すべく、次のステップＳＰ１７へ移る。
【００５６】
ステップＳＰ１７において制御部１０は、既存のシリーズ番組の録画予約を取り消し、次のステップＳＰ１８へ移ってこのルーチンＲＴ２を終了する。
【００５７】
これにより制御部１０は、ユーザが再生済番組を見終わり印象を鮮明に覚えているタイミングで、当該ユーザに容易なＧＵＩ操作行わせるだけで、当該ユーザが録画する意思を持たないシリーズ番組の録画予約をすぐに取り消すことができる。
【００５８】
（３）動作及び効果
以上の構成において、制御部１０は、まだシリーズ予約されていない録画済番組における再生映像の表示が停止された時点で、当該録画済番組（すなわち再生済番組）の番組情報ＩＰに含まれるシリーズ情報ＩＳに基づき、そのシリーズ番組の録画予約を行うか否かをユーザに確認し、当該ユーザの指示に基づき当該録画予約を行う。
【００５９】
従って制御部１０は、まだシリーズ予約されていない再生済番組をユーザが見終わり印象を鮮明に覚えているタイミングで、当該ユーザの指示に基づき当該シリーズ番組の録画予約（すなわちシリーズ予約）を行うことができる。
【００６０】
このとき制御部１０は、ＧＵＩ表示エリア２２の「予約する」ボタン２２Ａ（図３）又はＧＵＩ表示エリア３２の「予約する」ボタン３２Ａ（図４）を押下操作するといった容易なＧＵＩ操作をユーザに行わせるだけでシリーズ番組の録画予約を完了することができるので、当該ユーザに改めて予約操作を行わせたり、シリーズ番組の放送される日時をわざわざ調べさせる必要がない。
【００６１】
さらに制御部１０は、再生済番組にシリーズ番組が存在することをユーザが知らなかった場合であっても、予約設定確認画面２０を画面表示させることによって当該シリーズ番組の存在を当該ユーザに通知してその録画予約を勧めることができる。
【００６２】
一方、制御部１０は、既にシリーズ予約された録画済番組における再生映像の表示が停止された時点で、当該録画済番組（すなわち再生済番組）のシリーズ情報ＩＳに基づき、そのシリーズ番組の録画予約を行うか否かをユーザに確認し、当該ユーザの指示に基づき当該録画予約を継続するか又は当該録画予約を取り消す。
【００６３】
従って制御部１０は、既にシリーズ予約された再生済番組をユーザが見終わり印象を鮮明に覚えているタイミングで、当該ユーザの指示に基づき当該シリーズ番組の録画予約（すなわちシリーズ予約）を取り消すことができる。
【００６４】
特に制御部１０は、例えばシリーズ予約された録画済番組を再生した際に、当該録画済番組がユーザの想定よりもつまらなく当該ユーザが当該録画済番組の再生途中で停止させた場合であっても、予約設定確認画面４０（図６）を画面表示させるので、ＧＵＩ表示エリア４２の「予約キャンセル」ボタン４２Ｂを押下操作するといった容易な操作を当該ユーザに行わせるだけでシリーズ番組の録画予約を取り消すことができ、当該ユーザに改めて当該録画予約の取消操作を行わせる必要がない。
【００６５】
以上の構成によれば、制御部１０は、録画済番組の再生映像の表示が停止された時点で当該録画済番組と関連付けられたシリーズ番組の録画予約を行うか否かをユーザに確認するので、当該ユーザに改めてシリーズ番組の録画予約に関する操作を行わせること無く、当該シリーズ番組の録画予約をすぐに行うか又は取り消すことができる。
【００６６】
（４）他の実施の形態
なお上述の実施の形態においては、制御部１０が録画済番組における再生映像の表示が停止されたことを検出した時点で予約設定確認画面２０、３０、又は４０を画面表示させるようにした場合について述べたが、本発明はこれに限らず、放送中のテレビジョン番組を受信し表示しているときに、当該テレビジョン番組が終了した時点で地上ディジタルテレビジョン放送局から送出される番組終了情報を当該制御部１０が検出し、このとき予約設定確認画面２０、３０、又は４０を画面表示させるようにしても良い。
【００６７】
これにより制御部１０は、例えば放送中のテレビジョン番組をユーザが興味を持って視聴しており、当該テレビジョン番組のシリーズ番組も見逃すことなく視聴したいような場合に、当該テレビジョン番組が終了した時点で当該シリーズ番組の録画予約を勧めることができる。
【００６８】
このとき制御部１０は、シリーズ番組の録画予約を勧める以外にも、当該シリーズ番組の視聴予約を勧めるようにしても良い。
【００６９】
また上述の実施の形態においては、地上ディジタルテレビジョン放送局から放送される放送波から番組情報ＩＰを抽出するようにした場合について述べたが、本発明はこれに限らず、例えば当該番組情報ＩＰをインターネット上の所定の番組情報サーバから取得するようにしても良く、さらには番組情報ＩＰを情報記憶部１１に格納せず、当該番組情報ＩＰが必要になる度にインターネット上の所定の番組情報サーバから取得するようにしても良い。
【００７０】
さらに上述の実施の形態においては、予約設定確認画面２０、３０、又は４０を画面表示させることによってシリーズ番組の録画予約の可否をユーザに確認するようにした場合について述べたが、本発明はこれに限らず、例えば音声出力によってユーザに質問し、操作部１２に設けられた「はい」ボタン及び「いいえ」ボタンを押下操作させることによりシリーズ番組の録画予約の可否を確認するようにしても良い。
【００７１】
さらに上述の実施の形態においては、録画済番組における再生映像の表示が停止されたことを検出した時点で予約設定確認画面２０、３０、又は４０を画面表示させるようにした場合について述べたが、本発明はこれに限らず、当該録画済番組の再生中にテレビジョン番組録画再生装置１の電源切断操作を受け付けた場合にも当該予約設定確認画面２０、３０、又は４０を画面表示させるようにしてもよい。
【００７２】
さらに上述の実施の形態においては、ハードディスクドライブを用いて番組記憶部１８を構成するようにした場合について述べたが、本発明はこれに限らず、ＤＶＤ（Digital Versatile Disc）ドライブや半導体メモリ等の種々の記憶手段を用いて番組記憶部１８を構成するようにしても良い。
【００７３】
さらに上述の実施の形態においては、テレビジョン番組録画再生装置１に本発明を適用するようにした場合について述べたが、これに限らず、テレビジョンチューナと記憶手段とを搭載したパーソナルコンピュータ、ＰＤＡ（Personal Digital Assistant）、及び携帯電話機等に本発明を適用するようにしても良い。
【００７４】
さらに上述の実施の形態においては、番組記憶部１８を搭載したテレビジョン番組録画再生装置１に本発明を適用するようにした場合について述べたが、これに限らず、例えば番組記憶部１８を内蔵せず、外部の録画再生装置に対して再生映像の表示及びその停止、テレビジョン番組の録画予約及びその取り消し等を制御できるテレビジョン受信機、パーソナルコンピュータ、ＰＤＡ、及び携帯電話機等に本発明を適用するようにしても良い。
【００７５】
さらに上述の実施の形態においては、テレビジョン番組録画再生装置１が地上ディジタルテレビジョン放送を受信するようにした場合について述べたが、本発明はこれに限らず、当該テレビジョン番組録画再生装置１がＢＳ（Broadcasting Satellite）ディジタルテレビジョン放送やＣＳ（Communication Satellite）ディジタルテレビジョン放送、或いはディジタルラジオ放送等の、番組情報ＩＰを取得可能な他の放送を受信するようにしても良い。
【００７６】
さらに上述の実施の形態においては、表示停止検出手段としての制御部１０と、シリーズ情報取得手段としての受信部１５、情報記憶部１１及び制御部１０と、確認手段としての表示処理部１７、入力インタフェース部１３及び制御部１０とによって番組表示装置としてのテレビジョン番組録画再生装置１を構成する場合について述べたが、本発明はこれに限らず、その他種々の回路構成でなる表示停止検出手段と、シリーズ情報取得手段と、確認手段とによって番組表示装置を構成するようにしても良い。
【産業上の利用可能性】
【００７７】
本発明は、テレビジョン番組録画再生装置の他、外部の録画再生装置を制御し得るテレビジョン受信機等でも利用できる。
【図面の簡単な説明】
【００７８】
【図１】本発明のテレビジョン番組録画再生装置の構成を示すブロック図である。
【図２】シリーズ番組予約処理手順を示すフローチャートである。
【図３】予約設定確認画面（１）を示す略線図である。
【図４】予約設定確認画面（２）を示す略線図である。
【図５】シリーズ番組取消処理手順を示すフローチャートである。
【図６】予約設定確認画面（３）を示す略線図である。
【符号の説明】
【００７９】
１……テレビジョン番組録画再生装置、１０……制御部、１１……情報記憶部、１３……入力インタフェース部、１５……受信部、１７……表示処理部、１８……番組記憶部、２０、３０、４０……予約設定確認画面。
【図１】
2005328485.tif 000003
【図２】
2005328485.tif 000004
【図３】
2005328485.tif 000005
【図４】
2005328485.tif 000006
【図５】
2005328485.tif 000007
【図６】
2005328485.tif 000008